(57)【要約】【課題】着用時のフィット感に優れたカップを有する女性用被服を提供する。【解決手段】  カップ２を有する女性用被服（ブラジャー）１であって、カップ２は、乳房の上部を覆う上カップ部１０と、上カップ部１０に接ぎ合わせられ、乳房の下部前側を覆う下前側カップ部１１と、上カップ部１０及び下前側カップ１１に接ぎ合わせられ、乳房の下部脇側を覆う下脇側カップ部１２と、を有する。下前側カップ部１１は、当該下前側カップ部１１の上端と上カップ部１０の下端を接ぎ合わせる上下接ぎライン１３から下方（カップくり８に向かう方向）に向けてダーツ１５が形成されている。【選択図】図２
0003188760.tif 000002
【実用新案登録請求の範囲】
【請求項１】
カップを有する女性用被服であって、
前記カップは、
乳房の上部を覆う上カップ部と、当該上カップ部に接ぎ合わせられ、乳房の下部を覆う下カップ部と、を有し、
前記下カップ部は、当該下カップ部の上端と前記上カップ部の下端を接ぎ合わせる上下接ぎラインからカップくりに向かう方向に向けてダーツが形成されている、カップを有する女性用被服。
【請求項２】
前記ダーツは、前記下カップ部における乳房の下前側を覆う部分と乳房の下脇側を覆う部分との仮想の境界線に沿って形成されている、請求項１に記載のカップを有する女性用被服。
【請求項３】
前記下カップ部は、乳房の下部前側を覆う下前側カップ部と、当該下前側カップ部に接ぎ合わせられ、乳房の下部脇側を覆う下脇側カップ部とを更に有し、
前記ダーツは、前記下前側カップ部において前記上下接ぎラインからカップくりに向かう方向に向けて形成されている、請求項１又は２に記載のカップを有する女性用被服。
【請求項４】
前記ダーツは、前記下脇側カップ部において前記上下接ぎラインからカップくりに向かう方向に向けて形成されている、請求項３に記載のカップを有する女性用被服。
【請求項５】
前記ダーツは、前記下前側カップ部の側端と前記下脇側カップ部の側端を接ぎ合わせる接ぎラインに沿うように形成されている、請求項３又は４に記載のカップを有する女性用被服。
【請求項６】
ブラジャー、ブラトップ、ブラジャー付きスリップ、ブラジャー付きキャミソール、ブラジャー付きタンクトップ、ブラ付きワンピース、水着、レオタード、ボディスーツのうちのいずれかである、請求項１乃至５のいずれかに記載のカップを有する女性用被服。
【考案の詳細な説明】
【技術分野】
【０００１】
本考案は、複数の部片を接いで形成されてなるカップを有する女性用被服に関する。
【背景技術】
【０００２】
一般に、ブラジャーのカップには、立体形状を形成するため複数の部片を接いだものが用いられる。例えば三枚の部片を組み合わせた、いわゆる三枚接ぎタイプのカップが知られている（例えば特許文献１参照）。
【先行技術文献】
【特許文献】
【０００３】
【特許文献１】特開平８−１４４１０５号公報
【考案の概要】
【考案が解決しようとする課題】
【０００４】
しかしながら、一般に女性の乳房は単純な半球形ではなく、複雑で微妙な曲面で構成された立体である。また、女性の乳房は、自然な状態では下垂し、また脇方向に流れる傾向がある。このため、上記従来のカップを有するブラジャーは、着用時にカップと乳房の間に隙間が生じることがあり、フィット感を向上するという観点からは、未だ改善の余地があった。
【０００５】
これに対し、より多くの部片を接ぎ合わせたカップでは、乳房の複雑な立体形状を実現することが可能であるが、部片数が増えて見た目や生産性の面で好ましくない。また、接ぎの数はより少ない方が好ましい。
【０００６】
このような課題は、ブラジャーだけでなく、上記従来のカップを有する女性用被服にも共通する課題である。
【０００７】
そこで、本考案の目的は、着用時のフィット感に優れたカップを有する女性用被服を提供することにある。
【課題を解決するための手段】
【０００８】
上記の課題を解決するために、本考案のある態様に係る女性用被服は、カップを有する女性用被服であって、前記カップは、乳房の上部を覆う上カップ部と、当該上カップ部に接ぎ合わせられ、乳房の下部を覆う下カップ部と、を有し、前記下カップ部は、当該下カップ部の上端と前記上カップ部の下端を接ぎ合わせる上下接ぎラインからカップくりに向かう方向に向けてダーツが形成されている。
【０００９】
上記構成により、上下２つのカップのうち下カップ部が、その上端から下方に向けて形成されたダーツにより絞り込まれて、カップのトップ位置から下側が丸みのある自然な形状になるので、下垂した乳房にフィットし易くなる。
【００１０】
尚、上下二枚接ぎのカップの場合には、ダーツは下カップにおいて乳房の下前側を覆う部分と乳房の下脇側を覆う部分との仮想の境界線に沿って形成されていてもよい。これにより、二枚接ぎの下カップが乳房によりフィットし易くなる。
【００１１】
前記下カップ部は、乳房の下部前側を覆う下前側カップ部と、当該下前側カップ部に接ぎ合わせられ、乳房の下部脇側を覆う下脇側カップ部とを更に有し、前記ダーツは、前記下前側カップ部において前記上下接ぎラインからカップくりに向かう方向に向けて形成されていてもよい。
【００１２】
一般に、女性の乳房は、自然な状態では下垂し、また脇方向に流れる傾向がある。上記構成により、いわゆる三枚接ぎカップの場合には、下前側カップ部が、その上端から下方に向けて形成されたダーツにより絞り込まれて、丸みのある自然な形状になるので、下垂し又は下前側に寄せ集められた乳房にフィットし易くなる。また、複雑な立体形状を実現するために、より多くの部片を接ぎ合わせたカップでは部片数が増えて見た目や生産性の面で好ましくないが、本考案では、三枚接ぎの部片の一部に上記ダーツを形成するので部片数が増加することはない。
【００１３】
前記ダーツは、前記下脇側カップ部において前記上下接ぎラインからカップくりに向かう方向に向けて形成されていてもよい。
【００１４】
上記構成により、三枚接ぎのカップの場合には、下脇側カップ部が、その上端からカップくり方向に向けて形成されたダーツにより絞り込まれて、丸みのある自然な形状になるので、下脇側に流れた乳房にフィットし易くなる。
【００１５】
前記ダーツは、前記下前側カップ部の側端と前記下脇側カップ部の側端を接ぎ合わせる接ぎラインに沿うように形成されていてもよい。これにより、三枚接ぎの下カップが乳房によりフィットし易くなる。
【００１６】
ここでダーツが上記仮想の境界線又は上記接ぎラインに沿うとは、ダーツが接ぎラインに平行又は厳密な意味で平行でなくても略平行であることをさす。
【００１７】
上記カップを有する女性用被服は、ブラジャー、ブラトップ、ブラジャー付きスリップ、ブラジャー付きキャミソール、ブラジャー付きタンクトップ、ブラ付きワンピース、水着、レオタード、ボディスーツのうちのいずれかであってもよい。
【考案の効果】
【００１８】
本考案によれば、着用時のフィット感に優れたカップを有する女性用被服を提供することができる。
【図面の簡単な説明】
【００１９】
【図１】本考案の実施の形態１に係るブラジャーの概略的な正面図である。
【図２】本考案の実施の形態１に係るブラジャーの概略的な背面図である。
【図３】本考案の実施の形態１のブラジャーのカップの生地を分解した各部片の展開図である。
【図４】本考案の実施の形態１の変形例のブラジャーの下前側カップの生地を分解した展開図である。
【図５】本考案の実施の形態２に係るブラジャーの概略的な正面図である。
【図６】本考案の実施の形態２に係るブラジャーの概略的な背面図である。
【図７】本考案の実施の形態２のブラジャーのカップの生地を分解した各部片の展開図である。
【図８】本考案の実施の形態２の変形例のブラジャーのカップの生地の一部を分解した展開図である。
【図９】本考案の実施の形態３に係るブラジャーのカップの生地を分解した各部片の展開図である。
【考案を実施するための形態】
【００２０】
本考案の実施の形態を、図面を参照しつつ説明する。
【００２１】
以下、本考案の実施の形態を、図面を参照しながら説明する。以下の説明では、本考案に係るカップを有する女性用被服の実施形態としてブラジャーを例示する。なお、以下では全図を通じて同一又は相当する要素には同一の参照符号を付して、特に言及しない場合にはその重複する説明を省略する。
【００２２】
（実施の形態１）
図１は、本考案の実施の形態１に係るブラジャー１の概略的な正面図である。図２は、本考案の実施の形態に係るブラジャー１の概略的な背面図である。
【００２３】
図１及び図２に示すように、ブラジャー１は、カップ２と、ベルト３と、ストラップ４と、ホック５を備える。
【００２４】
カップ２は、バストを包み込むために、乳房に合わせた左右一対の２つのカップである。本実施の形態では、図１に示すように、カップ２の素材の外側表面は表生地６により被覆されている。
【００２５】
図２に示すように、カップ２は、乳房の上部を覆う上カップ部１０と、乳房の下部前側を覆う下前側カップ部１１と、乳房の下部脇側を覆う下脇側カップ部１２とを有する。上カップ部１０の下端と、下前側カップ部１１の上端及び下脇側カップ部１２の上端とは、上下接ぎライン１３で接ぎ合わされている。下前側カップ部１１の側端と下脇側カップ部１２の側端とは、左右接ぎライン１４で接ぎ合わされている。このようにカップ２は、三枚の布部片を組み合わせて、立体的に縫合された、いわゆる三枚接ぎタイプのカップである。本実施の形態では、下前側カップ部１１には、上下接ぎライン１３から下方、ここではカップの下辺（以下、カップくりという）８に向かう方向に向けてダーツ１５が形成されている。このダーツ１５は、左右の接ぎライン１４に沿うように形成されている。ここでダーツ１５が接ぎライン１４に沿うとは、ダーツ１５が接ぎライン１４に平行又は厳密な意味で平行でなくても略平行であることをさす。また、ダーツ１５はカップくり８に向かう方向に向けて形成されていれば、１４に平行又は略平行に形成されていなくてもよい。
【００２６】
ベルト３は、アンダーバストから背中まで胸部を一周するように囲む帯状の部分であって、２つのカップ２と一体となっており、左右のカップ２が外れないように固定する。
【００２７】
ストラップ４は、左右のカップ２の上端から伸びる、長さの調節できる肩紐であって、肩を廻って背中でベルト３と繋がっている。ブラジャー１は、バストを下から支え、カップ２によってバストの形を整えるようになっているので、ベルト３でカップ２が胸部に密着するようにする必要があると共に、ストラップ４で肩から支えカップを含めたブラジャー全体が下にずれ落ちないようにする必要がある。そのためストラップ４で、肩からブラジャー１を吊るす構造となっている。また、ブラジャー１は、ストラップ４の無い、ストラップレスタイプのブラジャーであってもよい。
【００２８】
ホック５は、ベルト３の両端に設けられ、本実施の形態では背中側にある。背中側にホックがある場合、ベルト３は背中の部分で繋がっておらず、ホック５を繋ぎ合わせることでベルト３を結び合わせる。ブラジャー１の装着は、ホック５を止めることで完了する。また、ホック５は背中側ではなく左右のカップの間にあって、ベルトが背中の部分で繋がったフロントホックタイプのブラジャーであってもよい。また、ホックを持たないタイプのブラジャーであってもよい。
【００２９】
図３は、ブラジャー１のカップ２の生地を分解した各部片の展開図である。図３に示すように、下前側カップ部１１の生地の上端にはＶ字形の切れ込み部７が形成されている。また、この切込み部７は、下前側カップ部１１の生地の側端に沿って形成されている。カップ２の組立時には、この切れ込み部７を縫合することで下前側カップ部１１に上下接ぎライン１３から下方に向けてダーツ１５が形成される。そして、上下接ぎライン１３上にカップ２のトップが位置する。つまり、ダーツ１５は、カップ２のトップ位置からカップくり８に向かう方向に向けて形成される。また、ダーツ１５は、左右の接ぎライン１４に沿うように形成される。
【００３０】
一般に、女性の乳房は、自然な状態では下垂し、また脇方向に流れる傾向がある。以上に示した構成によれば、いわゆる三枚接ぎカップの下前側カップ部１１が、その上端から下方に向けて形成されたダーツ１５により絞り込まれて、丸みのある自然な形状になる。これにより、ブラジャー１の着用時には、下垂し又は下前側に寄せ集められた乳房にカップ２がフィットし易くなる。
【００３１】
また、複雑な立体形状を実現するためにより多くの部片を接ぎ合わせたカップでは部片数が増えて見た目や生産性の面で好ましくない。これに対し、本考案によれば、三枚接ぎの部片の一部にダーツ１５を形成するので部片数が増加することはない。よって、着用時のフィット感に優れたカップを有する女性用被服を提供することができる。
【００３２】
また、ダーツ１５が、左右の接ぎライン１４に沿うように形成されているので、三枚接ぎの下カップが乳房によりフィットし易くなる。
【００３３】
（変形例）
図４は、本考案の実施の形態１の変形例のブラジャーの下前側カップの生地を分解した展開図である。図４（ａ）に示すように、本変形例は、下前側カップ部１１の布生地に切込み部７を形成する過程において、下前側カップ部１１を二つの部片１１ａ、１１ｂに分割したものである。そして、図４（ｂ）に示すように、二つの部片１１ａ、１１ｂを縫合して切込み部７を形成する。このような構成であっても、上記実施の形態１と同様な構成のカップ２を形成することができるので、上記実施の形態１と同様な効果を奏することができる。
【００３４】
（実施の形態２）
図５は、本考案の実施の形態２に係るブラジャー１ａの概略的な正面図である。図６は、本考案の実施の形態２に係るブラジャー１ａの概略的な背面図である。尚、実施形態１と共通する構成については同一符号を付して説明を省略する。本実施の形態２のカップ２ａは、ダーツ１５が、下脇側カップ部１２ａにおいて上下接ぎライン１３から下方（カップくり８に向かう方向）に向けて形成されるように構成されている点が実施の形態１と異なる。
【００３５】
図７は、本考案の実施の形態２のブラジャー１ａのカップ２ａの生地を分解した各部片の展開図である。図７に示すように、下脇側カップ１２ａの生地の上端にもＶ字形の切れ込み部７が形成されている。この切込み部７は、下脇側カップ１２ａ生地の左右の接ぎライン１４側の側端に沿って形成されている。図６に示すように、カップ２ａの組立時には、これらの切れ込み部７を縫合することで下前側カップ部１１及び下脇側カップ部１２ａのそれぞれに上下接ぎライン１３から下方（カップくり８に向かう方向）に向けてダーツ１５が形成される。
【００３６】
上記構成により、上記実施の形態１の効果に加えて、三枚接ぎのカップの下脇側カップ部１２ａが、その上端から下方に向けて形成されたダーツにより絞り込まれて、丸みのある自然な形状になる。これにより、下脇側に流れた乳房にフィットし易くなる。
【００３７】
（変形例）
図８は、本考案の実施の形態２の変形例のブラジャーのカップの生地の一部を分解した展開図である。図８に示すように、本変形例は、下前側カップ部１１及び下脇側カップ部１２の布生地の双方に切込み部７を形成する過程において、下前側カップ部１１を二つの部片１１ａ、１１ｂに分割するとともに、下脇側カップ部１２を二つの部片１２ａ、１２ｂに分割したものである。そして、二つの部片を縫合して、下前側カップ部１１及び下脇側カップ部１２のそれぞれの切込み部７を形成する。このような構成であっても、上記実施の形態２と同様な構成のカップ２ａを形成することができるので、上記実施の形態１と同様な効果を奏することができる。
【００３８】
（実施の形態３）
図９は、本考案の実施の形態３に係るブラジャーのカップ２ｂの生地を分解した各部片の展開図である。尚、実施形態１と共通する構成については同一符号を付して説明を省略する。本実施の形態のカップ２ｂは、二枚の布部片を組み合わせて立体的に縫合される、いわゆる二枚接ぎタイプのカップである。図９に示すように、カップ２ｂは、乳房の上部を覆う上カップ部１０と、上カップ部１０に接ぎ合わせられ、乳房の下部を覆う下カップ部１６と、を有している。
【００３９】
下カップ部１６は、実施形態１の下前側カップ部１１と下脇側カップ部１２を含むものである。つまり、下カップ部１６は、乳房の下部前側及び下部脇側の双方を覆う機能を果たす。図９の点線１７は、下カップ部１６における乳房の下前側を覆う部分と乳房の下脇側を覆う部分との仮想の境界線を示している。そして、下カップ部１６の生地の上端にはＶ字形の切れ込み部７ａが形成されている。
【００４０】
切れ込み部７ａは、下カップ部１６の生地の上端から下方に向けて形成されている。切れ込み部７ａは、下カップ部１６の乳房の下前側を覆う部分に形成されており、実施形態１の下前側カップ部１１の切れ込み部７と同様な構成をしている。この切れ込み部７ａを縫合してダーツを上カップ部１０と下カップ部１６の上下接ぎラインから下方（カップくりに向かう方向）に向けて形成する。そして、この上下接ぎライン上にカップ２ｂのトップが位置する。つまり、ダーツは、カップ２ｂのトップ位置からカップくりに向かう方向に向けて形成される。これにより、二枚接ぎカップ２ｂの下カップ部１６の前側が、ダーツにより絞り込まれて、カップ２ｂのトップ位置から下側が丸みのある自然な形状になるので、下垂した乳房にフィットし易くなる。
【００４１】
尚、本実施の形態では、切れ込み部７ａ（ダーツ）は、下カップ部１６の前側に形成したが、下カップ部１６の脇側に形成してもよい。下カップ部１６の前側又は脇側の切れ込み部７ａ（ダーツ）は、下カップ部１６において乳房の下前側を覆う部分と乳房の下脇側を覆う部分との仮想の境界線１７に沿って形成されてもよい。これにより、二枚接ぎの下カップが乳房によりフィットし易くなる。
【００４２】
尚、上記各実施の形態では、下前側カップ部１１若しくは下脇側カップ部１２又は下カップ部１６に１つのダーツ１５を形成する構成としたが、２以上形成してもよい。これにより、下カップを丸みのあるより自然な形状にすることができる。
【００４３】
尚、上記各実施の形態では、ワイヤーを用いないノンワイヤータイプのカップについて説明したが、カップの下辺（カップくり）８は、バージスラインに沿ってワイヤーを設け、ワイヤーでカップの形状を整えてもよい。これにより、カップ自体の型崩れを防ぐとともに、胸の形をきれいに見せることができる。
【００４４】
尚、上記各実施の形態では、カップの裏面にパッドが入っていてもよい。これにより、胸を大きく見せることができる。
【００４５】
尚、上記各実施の形態では、カップを有する女性用被服として最も代表的なブラジャー１について説明したが、カップ部を有するものであれば特に限定されず本考案を適用することができる。例えば、ブラジャー、ブラトップ、ブラ付きＴシャツ、ブラジャー付きスリップ、ブラジャー付きキャミソール、ブラジャー付きタンクトップ、ブラ付きワンピース、水着、レオタード、ボディスーツその他の女性用被服のうちのいずれかであってもよい。
【００４６】
上記説明から、当業者にとっては、本考案の多くの改良や他の実施の形態が明らかである。従って、上記説明は、例示としてのみ解釈されるべきであり、本考案を実行する最良の態様を当業者に教示する目的で提供されたものである。本考案の精神を逸脱することなく、その構造及び／又は機能の詳細を実質的に変更できる。
【産業上の利用可能性】
【００４７】
本考案は、複数の部片を接いで形成されてなるカップを有する女性用被服に有用である。
【符号の説明】
【００４８】
１,１ａ  ブラジャー
２,２ａ,２ｂ  カップ
３  ベルト
４  ストラップ
５  ホック
６  カップ表生地
７,７ａ,７ｂ  切れ込み部
８  カップくり
１０  上カップ部
１１  下前側カップ部
１２  下脇側カップ部
１３  上下接ぎライン
１４  左右接ぎライン
１５  ダーツ
１６  下カップ部
１７  下カップ部の仮想の境界線
【図１】
0003188760.tif 000003
【図２】
0003188760.tif 000004
【図３】
0003188760.tif 000005
【図４】
0003188760.tif 000006
【図５】
0003188760.tif 000007
【図６】
0003188760.tif 000008
【図７】
0003188760.tif 000009
【図８】
0003188760.tif 000010
【図９】
0003188760.tif 000011